(57)【要約】      （修正有）【課題】皮膚の刺激及び損傷が防止できる手足の爪、皮膚の角質除去のための美容器具及びその製造方法を提供する。【解決手段】手足の爪、皮膚の角質除去のための美容器具は、本体１０と、本体に結合されて、ガラス材質で形成されるプレート２０と、プレートの上面に積層されて、一定のパターンで形成される多数の金属突起３０と、前記金属突起が形成されていないプレートの上面から所定の深さでエッチングされる多数の凹溝と、を含んで構成される。【選択図】図１
2020081840.tif 000002
【特許請求の範囲】
【請求項１】
手足の爪、皮膚の角質除去のための美容器具において、
本体と、
前記本体に結合されて、ガラス材質で形成されるプレートと、
前記プレートの上面に積層されて、一定のパターンで形成される多数の金属突起と、
前記金属突起が形成されていないプレートの上面から所定の深さでエッチングされる多数の凹溝と、を含むことを特徴とする手足の爪、皮膚の角質除去のための美容器具。
【請求項２】
前記プレートは、
０．１ｍｍ〜５ｍｍの厚さで形成されることを特徴とする請求項１に記載の手足の爪、皮膚の角質除去のための美容器具。
【請求項３】
前記金属突起は、
１０ｎｍ〜１０００ｎｍの厚さで形成されることを特徴とする請求項１に記載の手足の爪、皮膚の角質除去のための美容器具。
【請求項４】
前記金属突起は、
金、モリブデン、タングステン及びクロムのうち一つ以上の材質で形成されることを特徴とする請求項１に記載の手足の爪、皮膚の角質除去のための美容器具。
【請求項５】
前記金属突起は、
前記プレートの内側を基準に、外側方向に向かうほど平面直径が小さくなる形態で形成されることを特徴とする請求項１に記載の手足の爪、皮膚の角質除去のための美容器具。
【請求項６】
前記凹溝は、
上側が前記金属突起と丸くなるように連結された形態で形成されることを特徴とする請求項１に記載の手足の爪、皮膚の角質除去のための美容器具。
【請求項７】
前記凹溝は、
１０μｍ〜１００μｍの深さでエッチングされることを特徴とする請求項１に記載の手足の爪、皮膚の角質除去のための美容器具。
【請求項８】
前記本体の一側に形成されて、多様なデザインを表すデザイン部をさらに含むことを特徴とする請求項１に記載の手足の爪、皮膚の角質除去のための美容器具。
【請求項９】
表面に形成された不規則なパターンの突起を含み、前記本体に結合されるサンド部をさらに含むことを特徴とする請求項１に記載の手足の爪、皮膚の角質除去のための美容器具。
【請求項１０】
前記金属突起の上面を除いた前記プレートの上側に形成されるコーティング層をさらに含むことを特徴とする請求項１に記載の手足の爪、皮膚の角質除去のための美容器具。
【請求項１１】
前記プレートの上側に形成される微細突起をさらに含み、
前記微細突起の上側には金属突起が積層されて、これによって、前記金属突起の上面が微細突起に相応する形態で形成されることを特徴とする請求項１に記載の手足の爪、皮膚の角質除去のための美容器具。
【請求項１２】
本体を準備する第１準備段階と、
ガラス材質のプレートを準備する第２準備段階と、
前記プレートの表面に第１シャドーマスクを付着する第１付着段階と、
前記第１シャドーマスクが付着されていないプレートの表面に金属膜を蒸着する蒸着段階と、
前記第１シャドーマスクを除去する第１除去段階と、
前記金属膜が蒸着されていないプレートの上面をエッチングして凹溝を形成する第１エッチング段階と、
前記プレートを本体に結合させる結合段階と、
を含むことを特徴とする手足の爪、皮膚の角質除去のための美容器具の製造方法。
【請求項１３】
前記蒸着段階では、前記金属膜が、スパッタリング（ｓｐｕｔｔｅｒｉｎｇ）工程によって蒸着されることを特徴とする請求項１２に記載の手足の爪、皮膚の角質除去のための美容器具の製造方法。
【請求項１４】
前記本体の一側に形成されて多様なデザインを表すデザイン部を形成するデザイン段階をさらに含むことを特徴とする請求項１２に記載の手足の爪、皮膚の角質除去のための美容器具の製造方法。
【請求項１５】
サンドブラスティング工程を利用して表面に不規則なパターンの多数の突起が形成されるサンド部を製造するサンド段階をさらに含み、
前記サンド部は、
前記本体に結合されることを特徴とする請求項１２に記載の手足の爪、皮膚の角質除去のための美容器具の製造方法。
【請求項１６】
前記第１エッチング段階以後、前記金属膜の上面に多数の第２シャドーマスクを付着する第２付着段階と、
前記第２シャドーマスクが付着されていない前記プレートの上側にコーティング液を塗布するコーティング液塗布段階と、
前記第２シャドーマスクを除去する第２除去段階と、
をさらに含むことを特徴とする請求項１２に記載の手足の爪、皮膚の角質除去のための美容器具の製造方法。
【請求項１７】
前記第１準備段階以後、前記プレートの上面に多数の第３シャドーマスクを付着する第３付着段階と、
前記第３シャドーマスクが付着されていないプレートの上面をエッチングして微細突起を形成する第２エッチング段階と、
前記第３シャドーマスクを除去する第３除去段階と、
をさらに含むことを特徴とする請求項１２に記載の手足の爪、皮膚の角質除去のための美容器具の製造方法。
【発明の詳細な説明】
【技術分野】
【０００１】
本発明は、手足の爪、皮膚の角質除去のための美容器具及びその製造方法に係わり、より詳細には、皮膚の刺激及び損傷が防止できる手足の爪、皮膚の角質除去のための美容器具及びその製造方法に関する。
【背景技術】
【０００２】
皮膚の表皮部位には角質層が形成されている。角質層は皮膚の最も外側の層として外部の刺激から皮膚を保護する効果を有する。しかし、踵のように外部刺激との接触が頻繁で圧迫を受ける身体部位の場合、角質層が厚くなって硬くなり、そのまま放置されると、角質層が裂けて角質内側の柔らかい皮膚に到達し、疼痛及び老化を誘発する。また美観上も好ましくない。そのため、硬くて厚くなった角質層は除去する必要がある。
【０００３】
硬い角質層を除去するには、ぬるま湯で角質をふやかした後、これを掻き出すかもしくは刃を利用して除去するが、皮膚を損傷することがあり、安全性が低い。これを改善する多様な手足の爪、皮膚の角質除去の美容器具があるが、例として、玄武岩類の不規則的な石を加工した角質除去の美容器具は、表面パターンが不規則なので、角質除去の効率が低く、表面が粗く皮膚が損傷されることがある。
【０００４】
ガラス板にフォトエッチング工程を利用して、微細な突起を形成した角質除去製品があるが、この従来の手足の爪、皮膚の角質除去のための美容器具は、大部分突起の上部より中間部が、小さな直径の曲面形態で形成されている。突起とガラス板の表面が鋭角形態で接する形状である。これによれば、角質の除去効率が上昇するが、角質が薄く形成されている軟弱な皮膚に刺激及び損傷を発生させる。また、洗浄時にパターン溝の間にめり込んだ角質を除去するため洗浄ブラシなどを利用するので、パターン溝が破損することがある。
【０００５】
特許文献１に示す「マイクロカッターが形成された角質除去板とこれを利用した手足の爪、皮膚の角質除去のための美容器具」は、廃棄されるまで反復的に使用できるが、洗浄及び消毒が必ず必要であり、洗浄道具及び消毒液によって表面の研磨部がすり減るので、製品の寿命があまり長くないのが実情である。
【先行技術文献】
【特許文献】
【０００６】
【特許文献１】韓国登録特許第１０−１１８４１４４号公報
【発明の概要】
【発明が解決しようとする課題】
【０００７】
本発明の目的は、上記のような問題点を解決するためになされたもので、皮膚の刺激及び損傷が防止でき、身体の多様な部位に適用可能で、手足の爪、皮膚の角質除去のための美容器具及びその製造方法を提供することにある。
【課題を解決するための手段】
【０００８】
本発明による手足の爪、皮膚の角質除去のための美容器具は、手足の爪、皮膚の角質除去のための美容器具において、本体と、前記本体に結合されて、ガラス材質で形成されるプレートと、前記プレートの上面に積層されて、一定のパターンで形成される多数の金属突起と、前記金属突起が形成されていないプレートの上面から所定の深さでエッチングされる多数の凹溝と、を含むことを特徴とする。
【０００９】
前記プレートは、０．１ｍｍ〜５ｍｍの厚さで形成されることを特徴とする。
【００１０】
前記金属突起は、１０ｎｍ〜１０００ｎｍの厚さで形成されることを特徴とする。
【００１１】
前記金属突起は、金、モリブデン、タングステン及びクロムのうち一つ以上の材質で形成されることを特徴とする。
【００１２】
前記金属突起は、前記プレートの内側を基準に、外側方向に向かうほど平面直径が小さくなる形態で形成されることを特徴とする。
【００１３】
前記凹溝は、上側が前記金属突起と丸くなるように連結された形態で形成されることを特徴とする。
【００１４】
前記凹溝は、１０μｍ〜１００μｍの深さでエッチングされることを特徴とする。
【００１５】
前記本体の一側に形成されて、多様なデザインを表すデザイン部をさらに含むことを特徴とする。
【００１６】
表面に形成された不規則なパターンの突起を含み、前記本体に結合されるサンド部をさらに含むことを特徴とする。
【００１７】
前記金属突起の上面を除いた前記プレートの上側に形成されるコーティング層をさらに含むことを特徴とする。
【００１８】
前記プレートの上側に形成される微細突起をさらに含み、前記微細突起の上側には金属突起が積層されて、これによって、前記金属突起の上面が微細突起に相応する形態で形成されることを特徴とする。
【００１９】
本発明による手足の爪、皮膚の角質除去のための美容器具の製造方法は、本体を準備する第１準備段階と、ガラス材質のプレートを準備する第２準備段階と、前記プレートの表面に第１シャドーマスクを付着する第１付着段階と、前記第１シャドーマスクが付着されていないプレートの表面に金属膜を蒸着する蒸着段階と、前記第１シャドーマスクを除去する第１除去段階と、前記金属膜が蒸着されていないプレートの上面をエッチングして凹溝を形成する第１エッチング段階と、前記プレートを本体に結合させる結合段階と、を含むことを特徴とする。
【００２０】
前記蒸着段階では、前記金属膜が、スパッタリング（ｓｐｕｔｔｅｒｉｎｇ）工程によって蒸着されることを特徴とする。
【００２１】
前記本体の一側に形成されて多様なデザインを表すデザイン部を形成するデザイン段階をさらに含むことを特徴とする。
【００２２】
サンドブラスティング工程を利用して表面に不規則なパターンの多数の突起が形成されるサンド部を製造するサンド段階をさらに含み、前記サンド部は、前記本体に結合されることを特徴とする。
【００２３】
前記第１エッチング段階以後、前記金属膜の上面に多数の第２シャドーマスクを付着する第２付着段階と、前記第２シャドーマスクが付着されていない前記プレートの上側にコーティング液を塗布するコーティング液塗布段階と、前記第２シャドーマスクを除去する第２除去段階と、をさらに含むことを特徴とする。
【００２４】
前記第１準備段階以後、前記プレートの上面に多数の第３シャドーマスクを付着する第３付着段階と、前記第３シャドーマスクが付着されていないプレートの上面をエッチングして微細突起を形成する第２エッチング段階と、前記第３シャドーマスクを除去する第３除去段階と、をさらに含むことを特徴とする。
【発明の効果】
【００２５】
本発明による手足の爪、皮膚の角質除去のための美容器具、及びその製造方法によれば、凹溝の側面とプレートの上面が丸くなった鈍角形態で接するので、皮膚の刺激及び損傷が防止される効果を有する。また、１５０℃以上の高温で殺菌及び消毒が可能なので、細菌の繁殖が防止される効果を有する。また、溝内部の角に角質がたまらないため流水で簡便な洗浄が可能である。また、別途のフォトリソグラフィ（Ｐｈｏｔｏｌｉｔｈｏｇｒａｐｈｙ）段階及び金属膜のエッチング段階を経なくても手足の爪、皮膚の角質除去のための美容器具を製造することができ、製造原価が減少され、不良率が低くなる効果を有する。また、手、皮膚、足など身体の多様な部位に使用可能な美容器具を提供できる。
【図面の簡単な説明】
【００２６】
【図１】本発明の第１実施例にかかる手足の爪、皮膚の角質除去のための美容器具の斜視図である。（ａ）はマウスタイプ、（ｂ）は柄付きタイプを示す。
【図２】本発明の第１実施例にかかるプレートの例示図である。
【図３】図１のＡ−Ａ’断面図である。（ａ）、（ｂ）及び（ｃ）は凹溝の深さが異なる例を示す。
【図４】本発明の第１実施例にかかる手足の爪、皮膚の角質除去のための美容器具のサンド部を示す斜視図である。
【図５】本発明の第２実施例で断面の例示図である。
【図６】本発明の第３実施例で断面の例示図である。
【図７】本発明の第１実施例にかかる手足の爪、皮膚の角質除去のための美容器具の製造方法フローチャートである。
【図８】本発明の第２実施例にかかる手足の爪、皮膚の角質除去のための美容器具の製造方法のフローチャートである。
【図９】本発明の第３実施例にかかる手足の爪、皮膚の角質除去のための美容器具の製造方法フローチャートである。
【発明を実施するための形態】
【００２７】
以下、本発明の好ましい実施例を使用し、手足の爪、皮膚の角質除去のための美容器具及びその製造方法について、図１〜９を参照して詳細に説明する。
【実施例１】
【００２８】
図１は、本発明の第１実施例にかかる手足の爪、皮膚の角質除去のための美容器具の斜視図である。図２は、本発明の第１実施例にかかるプレートの例示図である。図３は、図１のＡ−Ａ’断面図である。（ａ）、（ｂ）及び（ｃ）は凹溝の深さが異なる例を示す。図４は、本発明の第１実施例にかかる手足の爪、皮膚の角質除去のための美容器具のサンド部を示した例示図である。
【００２９】
本発明は、凹溝の側面とプレートの上面が鈍角形態で接するので、皮膚の刺激及び損傷が防止され、溝内部の角に角質がたまらないだけでなく、流水で簡便に洗浄可能である。図１〜図４に示すように、本発明の第１実施例にかかる手足の爪、皮膚の角質除去のための美容器具は、本体１０、プレート２０、金属突起３０及び凹溝４０を含んで構成される。
【００３０】
本体１０は、ガラス、メタル、プラスチック材質で形成されて、これによって、高温で殺菌及び消毒が可能なので細菌の繁殖を防止することができる。本体１０がガラス材質で形成される場合、５００℃以下の温度、メタル材質で形成される場合、３００℃以下の温度、プラスチック（ＡＢＳなど）材質で形成される場合、１５０℃以下の温度で殺菌及び消毒が可能である。
【００３１】
本体１０は、図１（ａ）に示すように、優れたグリップ（Ｇｒｉｐ）感を有するようにマウス（Ｍｏｕｓｅ）形状で形成される。これは本発明の一実施例に過ぎず、他の実施例として、本体１０は、使用者の容易な使用のためにバー（Ｂａｒ）または楕円（Ｏｖａｌ）形状で形成される場合もある。
【００３２】
プレート２０は、本体１０に着脱式に結合されて形成される。これによって、プレート２０を本体１０から分離でき、消毒及び洗浄が行なう。プレート２０は、本体１０の一面に結合された形態にできる。この他に、本体１０の一面及び他面に一対のプレート２０が各々結合された形態や、本体１０の一面に一体型に結合された形態に形成される場合もある。プレート２０は、強度が高い特殊ガラス材質で形成されて、これによって、５００℃以下の温度で殺菌及び消毒が可能なので細菌の繁殖を防止することができる。
【００３３】
プレート２０は、ポリエステル（ＰＥＴ）などフィルム材質で形成される場合もある。また、プレート２０は、０．１ｍｍ〜５ｍｍの厚さで形成されるが、厚さが０．１ｍｍ未満の場合、衝撃に弱く破損の危険がある。逆に５ｍｍを超過する場合、本体１０に結合時に異質感が発生するだけでなく、グリップ（Ｇｒｉｐ）感が低下する。
【００３４】
次に、金属突起３０は、プレート２０の上面に積層された形状で形成される。
また、金属突起３０は、金、モリブデン、タングステン及びクロムのうち一つ以上の金属材質で形成される。さらに詳細には、プレート２０の上面に第１シャドーマスクを付着した後、第１シャドーマスクが付着されていないプレート２０の上面に金属をスパッタリング（ｓｐｕｔｔｅｒｉｎｇ）工程で蒸着して金属突起３０を形成する。
【００３５】
第１シャドーマスクには、多数の孔が形成され、両面テープ及び面磁石のうち一つを利用してプレート２０の上面に付着される。金属突起３０形成後、プレート２０の上面から除去される。これによって、プレート２０の上面が保護されて、美容器具の表面強度が増加して高い耐久性を有することができる。金属突起３０は、１０ｎｍ〜１０００ｎｍの厚さで形成される。厚さが１０ｎｍ未満の場合、表面強度が充分に増加しない。厚さが、１０００ｎｍを越える場合、製造単価が上昇することになる。金属突起３０は、一定のパターンで配列される。
【００３６】
一例として、隣接した金属突起３０が同一の間隔を有する正三角形の形態を有するように形成され得る。これによって、丁寧に角質を除去することができる。他の例として、隣接した金属突起３０が同一の間隔を有する正方形の形態を有するように形成される。この他に、金属突起３０は多角形、線形など多様なパターンで配列できる。
【００３７】
金属突起３０は、図２に示すように、プレート２０の内側を基準に、外側方向に向かうほど平面直径が減少する形態で形成される。さらに詳細には、第１シャドーマスクに形成された多数の孔の直径が、内側を基準に外側方向に向かうほど減少する形態で形成される。これによって、外側方向に向かうほど繊細な角質除去を行なうことができる。折曲した爪の外側及び踵の外側を容易に整えることができる。
【００３８】
凹溝４０は、金属突起３０が形成されていない位置に形成されて、プレート２０の上面から所定の深さでエッチングされた溝形態で形成される。凹溝４０は、図３に示すように、金属突起３０と丸くなるように連結された形態で形成される。さらに詳細には、金属突起３０と凹溝４０の上側が、鈍角（θ）に接する。これによって、金属突起３０と凹溝４０のつなぎ目に角質がたまらない。そのため、簡単な水洗浄によっても衛生的に手足の爪、皮膚の角質除去のための美容器具を管理することができる。なお、凹溝４０は、端面が台形形態で形成されるとしてもよい。凹溝４０は、５μｍ〜１００μｍの深さで形成される。使用者は、凹溝４０の深さによって多様な使い方ができる。手足の爪、皮膚の角質除去のための美容器具として使用できる。
【００３９】
凹溝４０の深さが５μｍ未満の場合、角質除去効果が低下する。１００μｍを超過する場合、手足の爪、皮膚の角質除去のための美容器具の使用時、刺激が過度に発生して使用者の皮膚が損傷される恐れが出る。一例として、爪に光沢を発生させるのに適した手足の爪、皮膚の角質除去のための美容器具を提供するため、図３の（ａ）に示すように、凹溝４０が［Ａ］１０〜３５μｍの深さで形成される。他の例として、皮膚の角質を除去するのに適した手足の爪、皮膚の角質除去のための美容器具を提供するため、図３の（ｂ）に示したように凹溝４０が［Ｂ］１０〜５０μｍの深さで形成される。凹溝４０の深さが深くなるほど削り具合が向上する。なお、厚くたまった古い角質は、容易に除去することができる。
【００４０】
また他の例として、足の角質を除去するのに適した手足の爪、皮膚の角質除去のための美容器具を提供するため、図３の（ｃ）に示すように、凹溝４０が［Ｃ］５０〜１００μｍの深さで形成される。即ち、本発明によれば、多様な身体部位に使用可能な手足の爪、皮膚の角質除去のための美容器具を提供できる。
【００４１】
本発明の手足の爪、皮膚の角質除去のための美容器具は、デザイン部５０をさらに含む。デザイン部５０は、本体１０の一側に形成されて、多様なコーティング及びデザインを具現する。一例として、表面がミラーコーティングされるので、肘、踵など視線が届き難い所を容易に確認できる。商品名、企業ロゴ、イニシャル、デザイン文様など多様なデザインが具現される。デザイン部５０は、エポキシ材質で形成される。これによれば、１５０℃未満の温度で消毒が可能なので、細菌の繁殖を防止することができる。
【００４２】
他の例として、デザイン部５０は、本体１０が損傷した場合、飛散を防止し、外部衝撃を吸収するためにシリコン材質で形成される。また、飛散発生を防止することができる多様なフィルム及び材質で形成されてもよい。図４に示すように、本発明の実施例にかかる手足の爪、皮膚の角質除去のための、サンド部６０をさらに含む。
【００４３】
サンド部６０は、本体１０の他面に着脱式に結合される形状で形成される。これによって、サンド部６０を本体１０から分離して消毒及び洗浄をすることができる。長期間の使用によってサンド部６０の表面が研磨されて角質除去機能が低下した場合、容易に交換することができる。この他に、本体１０の他面に一体型に結合された形態で形成される。
【００４４】
サンド部６０は、表面に形成された不規則なパターンの突起がある。これは、サンドブラスティング（ｓａｎｄｂｌａｓｔｉｎｇ）工程によって、表面に多数の突起が形成される。上記で説明したように、本発明の手足の爪、皮膚の角質除去のための美容器具によれば、凹溝の側面と、プレートの上面が丸くなった鈍角形態で接するので、皮膚の刺激及び損傷が防止される。また、金属突起３０と凹溝４０のつなぎ目に角質がたまらないので、簡単な水洗浄によっても衛生的に手足の爪、皮膚の角質の除去ができる。美容器具としての管理が容易になる。また、凹溝の深さ調節することによって老若男女誰でも容易に使用可能で、手、足など多様な身体部位の角質を安全に除去することができる。手足の爪、皮膚の角質除去のための美容器具を提供できる。一方、他の例として、除去された角質を容易に脱落させることができるように金属突起３０の上面を除いたプレート２０の上側に、コーティング層７０が形成される。
【実施例２】
【００４５】
図５は、本発明の第２実施例で断面の例示図である。図５に示すように、第２実施例の手足の爪、皮膚の角質除去のための美容器具は、金属突起３０の上面を除いたプレート２０の上側に形成されるコーティング層７０の構成を含む。コーティング層７０を除いて、第１実施例と実質的に同一の形態で構成される。従って、以下では重複する部分の説明は省略し、相違点について説明する。
【００４６】
コーティング層７０は、金属突起３０の上面を除いたプレート２０の上側に形成される。この時、コーティング層７０は、使用者の身体から除去され凹溝４０にたまった角質を容易に脱落させる。手足の爪、皮膚の角質除去のための美容器具を水で洗浄する場合、容易に乾燥させるため、水性ウレタン、ポリウレアなど防水性に優れた材質で形成される。
【００４７】
金属突起３０の上面に多数の第２シャドーマスクを付着した後、第２シャドーマスクが付着されていないプレート２０の上面にコーティング液をスパッタリング（ｓｐｕｔｔｅｒｉｎｇ）工程で蒸着してコーティング層７０を形成する。好ましくは、金属突起３０の上面を除いた、金属突起３０の側面及びプレート２０にコーティング層７０が形成される。これによって、プレート２０の上面に積層された金属突起３０がプレート２０から剥離されることが防止され、手足の爪、皮膚の角質除去のための美容器具の耐久性が増加する。
【００４８】
第２シャドーマスクは、金属突起３０の上面と同一の大きさで形成され、両面テープ及び面磁石のうち一つを利用して、金属突起３０の上面に付着される。コーティング層７０が形成された後、金属突起３０の上面から除去されることが好ましい。他の例として、手、足、皮膚との摩擦力を高めるため、プレート２０の上側に微細突起８０が形成される構造で形成される。
【実施例３】
【００４９】
図６は、本発明の第３実施例で断面の例示図である。図６に示すように、本発明の第３実施例にかかる手足の爪、皮膚の角質除去のための美容器具は、プレート２０の上側に形成される微細突起８０の構成を含み、微細突起８０を除き第１実施例と実質的に同一の形態で構成される。以下では、重複される構成に対する説明を省略し、相違点についてのみ説明する。
【００５０】
微細突起８０はプレート２０の上側に形成される。プレート２０の上面に多数の第３シャドーマスクを付着し、第３シャドーマスクが付着されていないプレート２０の上面をエッチングして微細突起８０を形成する。この時、微細突起８０の上側には金属突起３０が積層され、積層された金属突起３０の上面が微細突起８０に相応する形態で形成される。これにより、金属突起３０の表面積が増加し、手、足、皮膚との摩擦力が増加するとの効果を奏する。また、微細突起８０と金属突起３０の接触面積が増加し、金属突起３０が微細突起８０から剥離されることを防止する。第３シャドーマスクは、微細に形成され、両面テープ及び面磁石のうち一つを利用してプレート２０の上面に付着され、微細突起８０が形成された後、プレート２０の上面から除去される。
【００５１】
図７は、本発明の第１実施例にかかる手足の爪、皮膚の角質除去のための美容器具の製造方法フローチャートである。本発明の第１実施例にかかる手足の爪、皮膚の角質除去のための美容器具の製造方法は、図７に示すように、第１準備段階（Ｓ１００）、第２準備段階（Ｓ２００）、第１付着段階（Ｓ３００）、蒸着段階（Ｓ４００）、第１除去段階（Ｓ５００）、第１エッチング段階（Ｓ６００）、結合段階（Ｓ７００）、デザイン段階（Ｓ８００）及びサンド段階（Ｓ９００）を含む。
【００５２】
第１準備段階（Ｓ１００）は、本体１０を準備する段階である。優れたグリップ（Ｇｒｉｐ）感を有し、使用者の容易な使用のためにマウス、バー及び楕円形状の本体１０を準備する段階で構成される。次に、第２準備段階（Ｓ２００）はプレート２０を準備する段階であり、プレート２０は、強度が高い特殊ガラス材質で形成される。次に、第１付着段階（Ｓ３００）は、プレート２０の表面に第１シャドーマスクを付着する段階で構成される。第１シャドーマスクは、多数の孔を含み、両面テープ及び面磁石のうち一つを利用して付着される。これにより、第１シャドーマスクをプレート２０の表面から、容易に除去することができる。また、第１シャドーマスクはプレート２０の内側を基準に、外側方向に向かうほど孔の直径が小さくなる形態で形成される。
【００５３】
次に、蒸着段階（Ｓ４００）は、第１シャドーマスクが付着されていないプレート２０の表面に金属膜を蒸着する段階で構成される。第１シャドーマスクの孔に金属膜を蒸着させて、プレート２０の表面に金属膜を蒸着する。この時、金属膜はスパッタリング（ｓｐｕｔｔｅｒｉｎｇ）工程によって蒸着され、プレート２０の表面に金属突起３０が形成される。また、金属膜は、第１シャドーマスクの孔直径によって内側を基準に外側に向かうほど平面直径が小さくなる形態で形成される。
【００５４】
次に、第１除去段階（Ｓ５００）は、第１シャドーマスクを除去する段階で構成される。次に、第１エッチング段階（Ｓ６００）は、金属膜が蒸着されていないプレート２０の上面を、スプレーまたはディッピング方法によってエッチングし、凹溝４０を形成する段階で構成される。結合段階（Ｓ７００）は、凹溝４０が形成されたプレート２０を本体１０に結合させる段階である。この時、プレート２０は、本体１０の一面に１つが結合される形態で形成される。これに限らず、一対のプレート２０が、本体１０の一面と他面に、各々結合されるとしてもよい。
【００５５】
次に、デザイン段階（Ｓ８００）は、多様なデザインを表すデザイン部５０を形成する段階である。この時、デザイン部５０は本体１０の一側に形成される。次に、サンド段階（Ｓ９００）は、サンド部６０を製造する段階であり、サンドブラスティング工程を利用して表面に不規則なパターンの多数の突起が形成されるサンド部６０を製造する段階で構成される。この時、サンド部６０は本体１０の他面に１つが結合される。
【００５６】
上記のような製造方法によれば、シャドーマスクを利用してプレート２０の上面に金属膜を蒸着するので、別途のフォトリソグラフィ（Ｐｈｏｔｏｌｉｔｈｏｇｒａｐｈｙ）段階及び金属膜をエッチングする段階を経ることなく手足の爪、皮膚の角質除去のための美容器具を製造することができる。これによって、手足の爪、皮膚の角質除去のための美容器具の製造方法が単純になるので、製造原価が減少され、不良率が低くなる。
【００５７】
図８は、本発明の第２実施例にかかる手足の爪、皮膚の角質除去のための美容器具の製造方法のフローチャートである。図８に示すように、第１エッチング段階（Ｓ６００）以後、第２付着段階（Ｓ６１０）、コーティング液塗布段階（Ｓ６２０）及び第２除去段階（Ｓ６３０）をさらに含む。図８に示す本発明の第２実施例にかかる手足の爪、皮膚の角質除去のための美容器具の製造方法は、第２付着段階（Ｓ６１０）、コーティング液塗布段階（Ｓ６２０）及び第２除去段階（Ｓ６３０）をさらに含む。これ以外は第１実施例と実質的に同一の形態で構成される。以下では重複される構成に対する説明は省略し、相違点のみ説明する。
【００５８】
第２付着段階（Ｓ６１０）は、金属膜の上面に多数の第２シャドーマスクを付着する段階で構成される。この時、第２シャドーマスクは、金属突起３０の上面と同一の大きさで形成され、両面テープ及び面磁石のうち一つを利用して付着される。以後、第２シャドーマスクを金属突起３０の上面から容易に除去できる。コーティング液塗布段階（Ｓ６２０）は、第２シャドーマスクが付着されていない凹溝４０の上面に、コーティング液を塗布してコーティング層７０を形成する段階で構成される。
【００５９】
コーティング液は、美容器具を使用時、使用者の身体から除去されて凹溝４０にたまった角質を容易に脱落させることができる。コーティング液は、手足の爪、皮膚の角質除去のための美容器具を水で洗浄する場合、容易に乾燥できるように水性ウレタン、ポリウレアなど防水性に優れた材質で形成される。第２除去段階（Ｓ６３０）は、第２シャドーマスクを除去する段階で構成される。
【００６０】
図９は、本発明の第３実施例にかかる手足の爪、皮膚の角質除去のための美容器具の製造方法フローチャートである。図９に示すように、第１準備段階（Ｓ１００）以後、第３付着段階（Ｓ１１０）、第２エッチング段階（Ｓ１２０）及び第３除去段階（Ｓ１３０）をさらに含む。これ以外は、第１実施例と実質的に同一の形態で構成される。以下では、重複される構成に対する説明は省略し、相違点のみ説明する。第３付着段階（Ｓ１１０）は、プレート２０の上面に多数の第３シャドーマスクを付着する段階で構成される。この時、第３シャドーマスクは微細に形成され、両面テープ及び面磁石のうち一つを利用して付着される。これにより、第３シャドーマスクをプレート２０の上面から容易に除去できる。
【００６１】
第２エッチング段階（Ｓ１２０）は、第３シャドーマスクが付着されていないプレート２０の上面をエッチングし、微細突起８０を形成する段階で構成される。第３除去段階（Ｓ１３０）は、第２シャドーマスクを除去する段階で構成される。以後、金属突起３０が微細突起８０の上側に積層されるので、金属突起３０の上面が微細突起８０に相応する形態で形成される。このため、手、足、皮膚との摩擦力が増加する効果を奏する。
【００６２】
添付の図面を参照して、第１〜第３実施例を説明したが、第１〜第３実施例は、すべての面で例示的なものであり限定的ではない。また、第１、第２及び第３実施例を分けて説明したが、これは本発明をより明確に説明するためであり、第１、第２及び第３実施例は互いに適用可能である。
【産業上の利用可能性】
【００６３】
本発明の手足の爪、皮膚の角質除去のための美容器具は使い勝手がよく、皮膚の損傷を防止できる器具として好適である。
【符号の説明】
【００６４】
１０    本体
２０    プレート
３０    金属突起
４０    凹溝
５０    デザイン部
６０    サンド部
７０    コーティング層
８０    微細突起
【図１】
2020081840.tif 000003
【図２】
2020081840.tif 000004
【図３】
2020081840.tif 000005
【図４】
2020081840.tif 000006
【図５】
2020081840.tif 000007
【図６】
2020081840.tif 000008
【図７】
2020081840.tif 000009
【図８】
2020081840.tif 000010
【図９】
2020081840.tif 000011